Podtech/llm-jp-corpus-v4-ja_patent huggingface dataset:
(57)【要約】      （修正有）【課題】髪を傷めない髪止め飾り具を提供する。【解決手段】円弧状プレートである髪止め飾り具本体と、本体の両側面に複数櫛歯を設けた櫛歯部と、本体の底面に設けたすべり止めの部材と、本体の上に設けた髪の厚み部材を備える。髪止め飾り具を髪にセットするとき、すべり止めの部材により髪を固定し滑らないようにし、髪の厚み部材の上部を滑らかな形状にすることにより髪に引っかからないようにする。【選択図】図１
0003159600.tif 000002
【実用新案登録請求の範囲】
【請求項１】
円弧状プレートである髪止め飾り具本体２と、髪止め飾り具本体２の両側面に複数櫛歯１１を設けた櫛歯部１と、髪止め飾り具本体２の底面に設けたすべり止め部材４と、髪止め飾り具本体２の上に設けた髪の厚み部材３を備えた髪止め飾り具であって、髪止め飾り具を髪にセットするとき、前記すべり止め部材４により髪を固定し滑らないようにし、前記髪の厚み部材４の上部を滑らかな形状にすることにより髪に引っかからないようにしたことを特徴とする髪のボリュームアップ用髪止め飾り具。
【請求項２】
前記すべり止め部材４が面ファスナーであることを特徴とする請求項１記載の髪のボリュームアップ用髪止め飾り具。
【請求項３】
前記髪の厚み部材３の形状は三日月型で、素材はポリウレタンスポンジであることを特徴とする請求項１又は請求項２に記載の髪のボリュームアップ用髪止め飾り具。
【考案の詳細な説明】
【技術分野】
【０００１】
この考案は、盛り髪や日本髪等のヘアスタイルのセットアップにおいて、髪の間に挟みこんで髪のボリュームをアップする髪止め飾り具の形状に関する。
【背景技術】
【０００２】
従来の髪のボリュームアップに用いる髪止め飾り具の形状は、図４に示すように、二重のプレート構造（上プレート７、下プレート８）で、底面の櫛歯５と上面の突起歯６により髪への固定を行う。櫛歯５は頭部に沿うように髪の根元に差し込むことで、突起歯６は髪止め飾り具の上に被せる髪に差し込むことで、髪に引っかけて固定を行う。
【先行技術文献】
【特許文献】
【０００３】
【特許文献１】実用新案登録第３１５２６８２号公報
【考案の概要】
【考案が解決しようとする課題】
【０００４】
しかしながら、従来の技術によれば次の課題がある。
1）髪への固定力が弱く、すべりやすいことで、ヘアピンやゴム等の他の固定用部品を更に用いて上に髪止め飾り具の上に被せた髪を固定する必要がある等、ヘアスタイルのセットアップが困難であった。
2）髪止め飾り具の上に被せた髪を他の固定用部品を用いて固定する際、突起歯に挟まれ固定された髪が、引っ張られることにより毛切れをおこす等、髪を痛めることがあった。
【課題を解決するための手段】
【０００５】
そこで、この考案は、髪への固定力が強く、ヘアスタイルのセットアップが容易であり、また他部品による固定を行った場合にも髪を傷めない髪止め飾り具を提供することを目的とする。以下、課題を解決するための手段を掲げる。
【０００６】
本考案は、円弧状プレートである髪止め飾り具本体と、髪止め飾り具本体の両側面に複数櫛歯を設けた櫛歯部と、髪止め飾り具本体の底面に設けたすべり止めの部材と、髪止め飾り具本体の上に設けた髪の厚み部材を備えた髪止め飾り具であって、髪止め飾り具を髪にセットするとき、前記すべり止めの部材により髪を固定し滑らないようにし、前記髪の厚み部材の上部を滑らかな形状にすることにより髪に引っかからないようにしたことを特徴とする髪のボリュームアップ用髪止め飾り具である。
【０００７】
本考案は、前記すべり止め部材が面ファスナーであることを特徴とする髪のボリュームアップ用髪止め飾り具である。
【０００８】
本考案は、前記髪の厚み部材の形状が三日月型で、素材がポリウレタンスポンジであることを特徴とする髪のボリュームアップ用髪止め飾り具である。
【考案の効果】
【０００９】
髪止め飾り具底面に櫛歯とすべり止め部材を設けたことで髪への固定力が増してすべりにくくなり、ヘアスタイルのセットアップが容易となる。さらに髪への固定力が増してすべりにくくなるとともに、上面の櫛歯が無くなったことで、髪止め飾り具の上に被せた髪を他の固定用部品で固定する際に、髪を痛めることが無くなる。
【図面の簡単な説明】
【００１０】
【図１】本考案の髪のボリュームアップ用髪止め飾り具の構成図（上方斜視図）
【図２】本考案の髪のボリュームアップ用髪止め飾り具の構成図（下方斜視図）
【図３】本考案の髪のボリュームアップ用髪止め飾り具の使用方法
【図４】従来方式の髪のボリュームアップ用髪止め飾り具の構成図
【考案を実施するための形態】
【００１１】
図１と図２は本考案の髪のボリュームアップ用髪止め飾り具の構成図で、図１は上方から見た斜視図、図２は下方から見た斜視図である。
髪止め飾り具は、樹脂製の髪止め飾り具本体２、櫛歯部１、髪の厚み部材３、すべり止め部材４を備える。髪止め飾り具本体２は樹脂製であり、頭部に沿うように曲率を有した、円弧状のプレートである。髪止め飾り具本体２の円弧状のプレートの両側面に、櫛歯１１を円弧にそって複数設け櫛歯部１を構成する。
髪の厚み部材３は髪止め飾り具本体の長手方向において中央が盛り上がった三日月型形状のポリウレタンスポンジである。三日月型形状３は髪止め飾り具本体２の上面に接着や勘合等により固定されている。
すべり止め部材４の形状は、髪止め飾り具本体の底に貼られた細長い形状の面ファスナーで、髪止め飾り具本体２の底面に接着や勘合等により固定されている。
【００１２】
上記のような髪止め飾り具を構成することにより次の効果がある。
１）本体、櫛歯１と面ファスナーのすべり止め部材４のすべりにくい形状の働きで、髪への固定力が増し、ヘアスタイルのセットアップが容易である。また、固定力の増加により、従来のものでは困難であった頭側面方向への固定も可能である。したがって、セットアップ可能なヘアスタイルの自由度が向上する。
２）上面に櫛歯を設けずに三日月型形状の髪の厚み部材３としたことで、髪止め飾り具の上に被せた髪を他の固定用部品で固定する際に、髪を痛めにくくなる。また、材料としたポリウレタンスポンジは柔軟性に富み、髪止め飾り具の上に被せた髪を他の固定用部品で固定する際に髪に圧力が生じた場合にも、それに追従して変形するため髪を傷めにくい。また軽いため、長時間髪に固定していても疲れにくい。
【００１３】
髪の厚み部材の形状として、三日月型形状の場合を記載したが、ヘアスタイルに合わせて、半月形状や自由曲面形状としたものでも良い。髪の厚み部材３の形状は、髪がひっかからない程度に滑らかな形状であればよい。
また、すべり止め部材４は面ファスナー以外に、他の実施形態では、高摩擦係数又は粘着質のテープでも良い。または、凹凸形状を髪止め飾り具本体２の底面に直接設けたものでも良い。
【符号の説明】
【００１４】
１  櫛歯部
１１  櫛歯        
２  髪止め飾り具本体      
３  髪の厚み部材
４  すべり止め部材
５  櫛歯        
６  突起歯
７  上プレート  
８  下プレート
【図１】
0003159600.tif 000003
【図２】
0003159600.tif 000004
【図３】
0003159600.tif 000005
【図４】
0003159600.tif 000006
(57)【要約】【課題】段差等の障害物を容易かつ確実に乗り越えることができるようにした運搬台車を提供する。【解決手段】車輪３、３・・・を備えた積載台１の後端にハンドル５を立設してなる運搬台車において、該積載台１の後端１ａ下方には、運搬台車の使用者が足を掛けるための足掛け部１３を設けたことを特徴とする運搬台車。ハンドル５は、好ましくは、折り畳み自在である。すなわち、ハンドル５は、好ましくは、積載台１の後端に、回動軸１１を介して上下方向に回動自在に取り付けられている。【選択図】図１
0003159597.tif 000002
【実用新案登録請求の範囲】
【請求項１】
車輪を備えた積載台の後端にハンドルを立設してなる運搬台車において、
該積載台の後端下方には、運搬台車の使用者が足を掛けるための足掛け部を設けたことを特徴とする運搬台車。
【考案の詳細な説明】
【技術分野】
【０００１】
本考案は、運搬台車に関するものである。該運搬台車はハンドルを手で押して移動させるようにした手押し台車である。
【背景技術】
【０００２】
本出願人の出願に係る特開２００８−２７３４１８号公報は、車輪を備えた積載台の後端にハンドルを立設してなる運搬台車（以下「従来の運搬台車」という。）を開示している。
【先行技術文献】
【特許文献】
【０００３】
【特許文献１】特開２００８−２７３４１８号公報
【考案の概要】
【考案が解決しようとする課題】
【０００４】
従来の運搬台車は、商品等の荷物の運搬用に広く使用されている。すなわち、積載台上に運搬すべき荷物を載置し、ハンドルを手で押して運搬台車を目的場所まで移動させるのである。
【０００５】
荷物の運搬路には、運搬台車が乗り越えることが困難な段差等の障害物がしばしばある。運搬台車を移動させている途中でこのような障害物に差し掛かったときには、一般に、積載台の後端を片足で踏みつけながらハンドルを手前に引くことにより積載台の前輪を路面より上方に浮かせた状態で、運搬台車を例えば障害物における高所の上面まで押し進めて前輪を該高所の上面に乗せ、該障害物を乗り越えるという手法が用いられている。
【０００６】
しかるに、積載台の後端を片足で踏みつけながらハンドルを手前に引くことにより積載台の前輪を路面より上方に浮かせるという作業には大きな力が要求される。特に、積載台に重い荷物を載置しているときには、この作業は著しく困難である。更に、積載台の後端を片足で踏みつけている際に、足が積載台の後端から滑って外れるおそれもある。
【０００７】
このような状況に鑑み、本考案は、段差等の障害物を容易かつ確実に乗り越えることができるようにした運搬台車を提供しようとしてなされたものである。
【課題を解決するための手段】
【０００８】
上記課題を解決するために、本考案は、下記の運搬台車を提供するものである。
【０００９】
車輪を備えた積載台の後端にハンドルを立設してなる運搬台車において、
該積載台の後端下方には、運搬台車の使用者が足を掛けるための足掛け部を設けたことを特徴とする運搬台車（請求項１）。
【考案の効果】
【００１０】
本考案による運搬台車は、積載台の後端下方に、運搬台車の使用者が足を掛けるための足掛け部を設けているため、運搬台車を移動させている途中で段差等の障害物に差し掛かったときには、使用者は、該足掛け部に片足を掛けて踏みつけた状態でハンドルを手前に引くことにより積載台の前輪を路面より上方に浮かせることができる。この場合、足掛け部は積載台の後端下方に設けられているため、足掛け部に足を掛けてこれを踏みつけることは極めて容易であり、足が足掛け部から滑って外れるおそれがない。このように、足掛け部に足を掛けてこれを踏みつけた状態で、ハンドルを手前に引くことにより積載台の前輪を路面より上方に浮かせる作業は極めて容易であり、かつ、安定する。
【図面の簡単な説明】
【００１１】
【図１】図１は、本考案による運搬台車の使用状態の一例を示す側面図である。
【図２】図２は、同上運搬台車の背面図である。
【考案を実施するための形態】
【００１２】
符号１に示すものは運搬台車の積載台である。積載台１は下面に複数の車輪（キャスター）３、３・・・を備えている。
【００１３】
積載台１の後端にはハンドル５が立設されている。ハンドル５は、一例として、一対のハンドルポール７、７の上端間に、水平のハンドルグリップ杆９を備えてなるものである。
【００１４】
ハンドル５は、好ましくは、折り畳み自在である。すなわち、ハンドル５は、好ましくは、積載台１の後端に、回動軸１１を介して上下方向に回動自在に取り付けられている。この場合、ハンドル５は略水平状態に折り畳むことができる。
【００１５】
積載台１の後端１ａ下方には、運搬台車の使用者が足を掛けるための足掛け部１３を設ける。
【００１６】
図示の事例における足掛け部１３は、積載台１の後端１ａ下面との間に人の足１５が十分に入る間隔を置いて配設された板状体である。
【００１７】
符号１７に示すものは、足掛け部１３の補強パイプである。
【００１８】
本考案による運搬台車の使用状態の一例を示す図１において、符号１９に示すものは路面、符号２１に示すものは段差等の障害物である。
【符号の説明】
【００１９】
１  積載台
１ａ  後端
３  車輪
５  ハンドル
７  ハンドルポール
９  ハンドルグリップ杆
１１  回動軸
１３  足掛け部
１５  人の足
１７  補強パイプ
１９  路面
２１  障害物
【図１】
0003159597.tif 000003
【図２】
0003159597.tif 000004
(57)【要約】【課題】  本考案の課題は、部品点数の増加と組立作業の複雑化を抑え、製造コストが高くならない握りボタンユニットの接点構造を実現することにある。【解決手段】  本考案は、複数のボタンを有する握りボタンユニットの接点構造であって、前記握りボタンユニットの端面に形成された第１のボタンの押下により変形する形状の第１の導電性板バネ端子と、前記握りボタンユニットの側面に形成された１以上の第２のボタンの押下により変形する形状の第２の導電性板バネ端子と、前記第１の導電性板バネ端子と第２の導電性板バネ端子を実装する電気回路基板と、を有し、前記第１の導電性板バネ端子と第２の導電性板バネ端子は非変形状態では相互に非接触状態となる位置に配置し、前記第１のボタンまたは第２のボタンのいずれかが押下された場合の変形状態では相互に接触状態となる位置に配置することを特徴とする。【選択図】  図1
0003159571.tif 000002
【実用新案登録請求の範囲】
【請求項１】
複数のボタンを有する握りボタンユニットの接点構造であって、
前記握りボタンユニットの端面に形成された第１のボタンの押下により変形する形状の第１の導電性板バネ端子と、前記握りボタンユニットの側面に形成された１以上の第２のボタンの押下により変形する形状の第２の導電性板バネ端子と、前記第１の導電性板バネ端子と第２の導電性板バネ端子を実装する電気回路基板と、を有し、
前記第１の導電性板バネ端子と第２の導電性板バネ端子は非変形状態では相互に非接触状態となる位置に配置し、前記第１のボタンまたは第２のボタンのいずれかが押下された場合の変形状態では相互に接触状態となる位置に配置することを特徴とする握りボタンユニットの接点構造。
【考案の詳細な説明】
【技術分野】
【０００１】
本考案は、導電性板バネ端子（以下、板バネ端子と略す）を用いて複数方向からのボタン押下に対応する握りボタンユニットの接点構造に関する。
【背景技術】
【０００２】
従来、ナースコールシステム等に適用される、呼び出し側のボタンユニットのボタン押下（スイッチオン）は、親指によるプッシュ操作等を前提とする１方向のボタン押下に限定されていた。このため、緊急事態に陥っている患者等が看護師等を呼ぶ際に、ボタンユニットのボタン押下操作を間違う恐れがあった。
これを改善するボタンユニットとして、親指によるプッシュ操作に加え、ボタンユニットを握る握り操作に対応する握りボタンが追加された、複数のボタンを有する握りボタンユニットがある（例えば、特許文献１）。
【先行技術文献】
【特許文献】
【０００３】
【特許文献１】特開２００５−３４９０４２号公報
【考案の概要】
【考案が解決しようとする課題】
【０００４】
しかしながら、従来の握りボタンユニットは、複数方向からのボタン押下をカム構造等の方向変換機構により、親指または握りによるボタンの押下方向の移動を一方向の移動となるようにメカニカルに方向変換し、プリント基板の1箇所にある接点またはスイッチ部品に集中させていた。このため、この方向変換に係るメカニカルな構造を構成する部品点数が増え、且つ構造が複雑化して組立作業の効率性が低くなるので、製造コストが高いという欠点があった。
【０００５】
そこで、本考案の課題は、部品点数の増加と組立作業の複雑化を抑え、製造コストが高くならない握りボタンユニットの接点構造を実現することにある。
【課題を解決するための手段】
【０００６】
上記の課題を解決するために、本考案は、複数のボタンを有する握りボタンユニットの接点構造であって、前記握りボタンユニットの端面に形成された第１のボタンの押下により変形する形状の第１の導電性板バネ端子と、前記握りボタンユニットの側面に形成された１以上の第２のボタンの押下により変形する形状の第２の導電性板バネ端子と、前記第１の導電性板バネ端子と第２の導電性板バネ端子を実装する電気回路基板と、を有し、前記第１の導電性板バネ端子と第２の導電性板バネ端子は非変形状態では相互に非接触状態となる位置に配置し、前記第１のボタンまたは第２のボタンのいずれかが押下された場合の変形状態では相互に接触状態となる位置に配置することを特徴とする。
【考案の効果】
【０００７】
本考案によれば、複数方向からの入力に対して1組の板バネ端子で対応でき、移動方向の変換に係る複雑なメカニカル構造が不要となるので、部品点数増と組立作業の複雑化を抑えることができ、製造コストを低減できる効果がある。
【図面の簡単な説明】
【０００８】
【図１】本考案による構成の一実施例を示す図である。
【図２】本考案による構成の一実施例を示す図であり、図１の端子Ａと端子Ｂの構造部のボタン押下前の拡大図である。
【図３】本考案による構成の一実施例を示す図であり、右サイドボタン２を押下した状態の拡大図である。
【図４】本考案による構成の一実施例を用いた製品の外観を示す図である。
【考案を実施するための形態】
【０００９】
以下、図面を参照して本考案の実施形態について詳細を説明する。
一実施例として、ナースコールなどで使用されるボタンスイッチユニットの上面及び両側面に呼び出しボタンを配した製品（握りボタンユニット）を例に、本考案の構造を説明する。なお、本装置の外観例を図４に示す。
【実施例１】
【００１０】
図１は本考案を採用した実施例を示す図であり、１は呼び出しボタン(以下、トップボタンと呼称)、２はトップボタン１と同じ機能の側面ボタン(以下、右サイドボタンと呼称する)、３はトップボタン１と同じ機能の側面ボタン（以下、左サイドボタンと呼称）、１０はプリント基板２０に配置される板バネ端子(以下、端子Ａと呼称)、１１はプリント基板２０に配置される板バネ端子(以下、端子Ｂと呼称)である。
【００１１】
図２は、図１の端子Ａ１０と端子Ｂ１１の右サイドボタン２押下前の拡大図であり、端子Ａ１０と端子Ｂ１１が接触することで回路がつながりボタン押下に反応する。
本構造により、トップボタン１、右サイドボタン２、左サイドボタン３のいずれかが押されても、端子Ａ１０または端子Ｂ１１がたわみ、端子Ａと端子Ｂが接触し呼出回路(図示せず)が起動する。
【００１２】
図３は、右サイドボタン２押下後の端子Ａと端子Ｂの拡大図である。右サイドボタン２を押し込むことにより、端子Ｂが端子Ａの方にたわみ接触し呼出回路（図示せず）が起動する。
【００１３】
以上説明した通り、本考案によれば、複数のボタン押下に係る接点構造を、1組の板バネ端子で実現できるため、従来必要であったカム構造によるボタン押下の移動方向の方向変換機構が不要で、部品点数増と組立作業の複雑化を抑えることが可能となり、製造コストを低減出来る。
【符号の説明】
【００１４】
１        トップボタン
２        右サイドボタン
３        左サイドボタン
１０      端子Ａ
１１      端子Ｂ
２０      プリント基板
３０      筐体ケース
【図１】
0003159571.tif 000003
【図２】
0003159571.tif 000004
【図３】
0003159571.tif 000005
【図４】
0003159571.tif 000006
(57)【要約】      （修正有）【課題】雨水や土等が長靴に入るのを防ぎ、ふくらはぎが締め付けられることがない、裾を二重にしたズボンを提供する。【解決手段】ズボンの膝下あたりから裾を二重にし、裾の上端をズボンと接合する。【選択図】図２
0003159511.tif 000002
【実用新案登録請求の範囲】
【請求項１】
ズボン▲１▼の膝下あたりから  裾を二重▲２▼にし  その上端をズボンと接合▲３▼した  裾を二重にしたズボン。
【考案の詳細な説明】
【技術分野】
【０００１】  本案はズボンの裾の部分を二重にすることによって長靴のなかに土等が入らないようにした考案である。
【背景技術】
【０００２】従来の長靴等で中に土等が入らないようにしてある構造の靴があるが、長時間履いてるうちに土等が入って靴下が汚れていることがあった、また  それらの長靴は  入り口部分で足のふくらはぎ部分を締め付けるタイプのもので  その締め付けた部分の血流が悪くなり赤くなっている事があった  また別売りの靴カバーもあるが雨水等は隙間から染みて靴内部まで入ってきた。
【考案の開示】
【考案が解決しようする課題】
【０００３】本案は  ズボンの裾を二重にして  内側の裾▲１▼を長靴の中に入れ  外側の裾▲２▼を長靴の外側に出して未雨水や土等が長靴の中に入るのを防ぐ、そしてふくらはぎが締め付けられる事がないようにする  また靴等が汚れないようにする。
【課題を解決するための手段】
【０００４】本案の構造はズボンの裾▲１▼  膝下当たりから裾を二重にし  上部を接合▲３▼した構造で二重にした裾▲２▼はズボンの内外どちら側に取り付けても良い、また外側の裾の長さは長靴の入り口に少し重なるタイプのものから内側の裾より少し長いタイプのものまで含む裾を二重にしたズボン。
【考案の効果】
【０００５】本案を雨カッパのズボンに利用することにより土等や雨水が長靴のなかに入らなくなる、またヤッケのズボンや作業服のズボンに利用することにより靴の汚れも防ぎファション性も良くなる。
【考案を実施するための最良の形態】
【０００６】本案を利用するときは内側の裾▲１▼を長靴の中に入れ  外側の裾▲２▼を長靴の外側に出して、入り口から土や雨水が入らないようにする。【０００７】本案は雨カッパやヤッケ等の作業ズボンの裾を二重にし  長靴の入り口を挟み込むように塞ぎ  土や水が入らないようにした物で  多くの人が快適に作業出来るようにする事を目的とする。上記のような構造をしたものを基本とするが  ファスナーを外側の裾に縦方向に取り付けた構造のタイプも含む、裾を二重にしたズボン。【０００８】
【図面の簡単な説明】
【０００９】
【図１】  本考案の側面図
【図２】  本考案の使用状況透視側面図
【符号の説明】▲１▼    裾
▲２▼    二重にした裾
▲３▼    接合部分
▲４▼    靴
【図１】
0003159511.tif 000003
【図２】
0003159511.tif 000004
【手続補正書】
【提出日】平成22年2月11日(2010.2.11)
【手続補正１】
【補正対象書類名】実用新案登録請求の範囲
【補正対象項目名】全文
【補正方法】変更
【補正の内容】
【実用新案登録請求の範囲】
【請求項１】
ズボンの膝下あたりから裾を二重にし、裾の上端をズボンと接合した、裾を二重にしたズボン。
(57)【要約】      （修正有）【課題】超軽量浮体をくさび形に加工し、浸水時に自動的に浮き上がり、その形状を利用してガイド壁に押しつけて止水効果をえる、小規模、ローコスト、安全防水扉を提供する。【解決手段】浮体２の形状、ガイド３，４をハの字型にすることで、浮体上昇とともにガイドに密着し、隙間を無くして止水効果を高める。浮体を硬質発砲スチロールにすることで、浮体そのものに、水圧に対する曲げ抵抗力をもたせ、堅すぎず挟まれ等にも安全である。小規模で安価で設置でき、事前準備が不要で、管理も容易であることから、個人住宅、地下公共施設など幅広く浸水による被害を防ぐことができる。【選択図】図１
0003159512.tif 000002
【実用新案登録請求の範囲】
【請求項１】
水の浮力でガイドにそって浮き上がり、上昇する力をガイド壁に押さえる力に換え、止水効果を得る、超軽量くさび形浮戸。
【考案の詳細な説明】
【技術分野】
【０００１】  本考案は、道路等が冠水したときに、浮体が浮力で自動的に浮き上がるとともに、超軽量、くさび形にすることで、ガイド壁に押しつけて止水効果を得ることができる、浸水防止防水扉である。
【背景技術】
【０００２】  浸水防止防水扉は機械式など複雑な物が多く、浮力を利用して上昇させるものも止水方法に工夫がなされていない。また施工費用も嵩み、一般家庭などには設置が困難な状態であった。
【考案の開示】
【考案が解決しようとする課題】
【０００３】  本考案は、超軽量浮体をくさび形に加工し、浸水時に自動的に浮き上がり、その形状を利用してガイド壁に押しつけて止水効果を得る、小規模、ローコスト、安全防水扉である。
【課題を解決するための手段】
【０００４】  浮体の形状、ガイドをハの字型にすることで、浮体上昇とともにガイドに密着し、隙間を無くして止水効果を高める。【０００５】  浮体そのものを、水圧に対する曲げ抵抗力のある素材とすることで、小規模、安価を可能にする。【０００６】  浮体そのものを、大きな押しつけ力で窪む素材とすることで、指等をガイドとの間に挟んでも安全に引き抜くことが出来る。
【考案の効果】
【０００７】  道路冠水などが起こりうる施設の入り口に小規模、安価で設置でき、冠水時に作動のための人員配置も不要で、管理も容易であることから、個人住宅、地下公共施設など幅広く浸水による被害を防ぐことができる。
【考案を実施するための最良の形態】
【０００８】  浮体として、硬質発砲スチロールを加工する。重要性により、ペイント、ビニールコーティングを行う。浮体の外側ガイドは、滑りが良い素材でバネ機能を持たせて、浮体を内側に均一に押しつける。内側ガイドは、スポンジゴムなどを貼り付け、隙間無く浮体に密着し、止水させる。
【実施例】
【０００９】  以下、添付図面に沿って一実施例を説明する。各図は地下への階段通路入り口を側面から見て示している。【００１０】  １は通路を横断して設けられたピットである。材質はこだわらない。２は硬質発砲スチロールをくさび形に整形した浮体である。硬質発砲スチロールを溶かす揮発溶剤に触れる危険度、重要度が高い場合はビニールコーティング保護、危険度が低い簡易式はペイント保護とする。３は浮体２と密着して止水する内側ガイドである。スポンジゴムを貼って浮体２の歪みを吸収し密着度を増す。４は外側ガイドである。重要度が高い場合はステンレス製、簡易式は耐久性のある木材（ウリン）とする。外側ガイド４は規模が大きい場合、ステンレス製板バネなどを取りつけ満遍なく浮体２を内側ガイド３に押しつけるようにする。規模が小さい簡易式は内側ガイド３のスポンジゴムが満遍なく押しつける役目も兼ねるのでバネは不要である。【００１１】  ６は通路両側の袖壁である。通常袖壁６をくり抜いて内側ガイド３，外側ガイド４を設置する。地表よりの距離を、浮体２の高さより大きくなるよう、くり抜き上端７を決め、簡単に引き抜けるようにする。外側ガイド４は袖壁６に固定ボルト５で固定する。外側ガイド４を外した状態で浮体２を出し入れする。【００１２】  浸水水位１０を越えてピット１に水を流入させ、ピット１に水が溜まり、浮体２が浮き始める。ピット１の半分以下の蓋持ち上げ水位８で、浮力が浮体２と蓋９を持ち上げるようにする。蓋９はヒンジ構造として、持ち上げの初期力が大きくても、蓋が開けば浮体２の上昇に支障無い構造とする。【００１３】  泥水が内側ガイド３に触れる前を、浮き上がり完了水位１１とし、土砂などが内側ガイド３と浮体２の間に挟まらないようにする。浮力の調節は浮体２の厚みを換えることで行う。ガイド３，４に接する部分以外は、浮体２の形状はくさび形を不要とする。通路幅が大きい場合、せき止め深さが深い場合は、浮体２の厚さを増した形状１３のようにし、曲げ強度を増やす。【００１４】  冠水して作動した後の排水のため、屋外設置での降雨浸水を排水するため、排水施設をもうける。１４は泥だめに設置した水中ポンプである。ピット１の底面まで水位が上がれば作動する、水位感知式とする。電源は太陽光発電蓄電式とし、停電などにも備える。雨水の入らない場所で簡易式の場合は小口径排水マス１２を設けて、安全な状態になってから水中ポンプで排水する。
【図面の簡単な説明】
【００１５】
【図１】本考案を袖壁位置で側面から見た図（水をせき止めた状態）
【図２】本考案を袖壁位置で側面から見た図（水が流入する前の状態）
【図３】本考案を通路中央で側面から見た図（水が流入する前の状態）
【図４】本考案を通路中央で側面から見た図（水をせき止めた状態）
【符号の説明】
【００１６】  １  ピット
２  浮体
３  内側ガイド
４  外側ガイド
５  固定ボルト
６  袖壁
７  くりぬき上端
８  蓋持ち上げ水位
９  蓋
１０  浸水水位
１１  浮き上がり完了水位
１２  小口径排水マス
１３  厚さを増した形状
１４  水中ポンプ
【図１】
0003159512.tif 000003
【図２】
0003159512.tif 000004
【図３】
0003159512.tif 000005
【図４】
0003159512.tif 000006
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
地下鉄などの昇降階段入り口部の床面に設置した貯水ピットに、ハの字型に加工した硬質発泡スチロール製浮体を包蔵し、このピットに流入する水によって同浮体を浮き上がらせ、左右側壁に設けたガイドを同形ハの字型にすることにより、上昇する力をガイド壁に密着する力に換え、止水効果を得る、超軽量防水扉。
(57)【要約】      （修正有）【課題】傘の張り布部材の表面の撥水コーティング層の形成されていない部分に隠し絵表示部を設け、この部分が雨で濡れることにより絵が浮き出して見え、視覚的なインパクトが得られりとともに雨の日の外出を楽しくすることが可能な、外観的品質の高い傘を提供する。【解決手段】骨部材１１と、上記骨部材に取り付けられた張り布部材１２と、柄部１３とから構成される傘であって、上記張り布部材の表面の撥水コーティング層のない所定位置に、水に濡れることによって所定の図柄が現れる、隠し絵表示部１４を設ける。【選択図】図１
0003159555.tif 000002
【実用新案登録請求の範囲】
【請求項１】
傘の張り布部材の表面の所定位置に、水に濡れることによって、生地材の表面に施された撥水コーティング層と、上記生地材の裏面に施された防水コーティング層とから形成されると共に、隠し絵表示部は、上記生地材の表面において、上記撥水コーティング層を有さない部分によって、所定の図柄が出現する隠し絵表示部が設けられたことを特徴とする傘。
【考案の詳細な説明】
【技術分野】
【０００１】
この考案は、濡れると絵が浮き出る傘に関する。
【背景技術】
【０００２】
従来の傘の張り布部材は、無模様のものと、所定の図柄が予め描画されているものとが存在していた。
【考案の開示】
【考案が解決しようとする課題】
【０００３】
本考案の解決課題は、張り布部材が水に濡れることにより、視覚的な興趣が得られ、外観的品質が良好な傘を提供することにある。
【課題を解決するための手段】
【０００４】
上記課題を解決するために、請求項1記載の考案に係る傘は、雨水を受ける張り布部材の表面の所定位置に、水に濡れることによって所定の図柄が出現する隠し絵表示部が設けられたことを特徴とする。
【考案の効果】
【０００５】
この考案によれば、雨水に濡れることによって、隠し絵表示部に図柄が出現するため、視覚的なインパクトがあり、外観品質が良好な傘を提供することができる。張り布部材は、表面に施された撥水コーティング層と、裏面に施された防水コーティング層とから形成されると共に、上記隠し絵表示部は、表面において、上記撥水剤コーティング層を有さない部分によって形成されていることから、撥水コーティング層の有無によって、任意形状の模様を容易に作成することができる。また、傘は、上記吸水部（表部）は、乾燥時は同色であると共に、湿潤時は上記張り布材と異なる色に変色することから、隠し絵表示部とそれ以外の部分とのコントラストがより明確になり、隠し絵表示部が映えるため、より外観品質が向上する。
【考案を実施するための形態】
【０００６】
以下、図を用いて本考案の実施の形態について説明する。
図１に示すように、本実施の形態に係る傘１０は、雨水２０を受ける張り布部材１２が骨部材１１に取り付けられ、柄部１３を手で把持して使用する。
上記張り布部材１２の表面の所定位置には、水に濡れることによって所定の図柄が出現する隠し絵表示部１４が設けられている。
また、図３に示すように、上記張り布部材１２は、水分を吸収して湿潤すると、乾燥時と異色に変色する性質を有する生地材１５と、上記生地材１５の表面１５ａに施された撥水剤コーティング層１６と、上記生地材１５の裏面１５ｂに施された防水コーティング層１７とから形成されると共に、上記隠し絵表示部１４は、上記生地材１５の表面１５ａにおいて、上記撥水コーティング層１６を有しない部分によって形成されている。
【実施例１】
【０００７】
本実施の形態に係る傘が、一般的な洋傘である場合を例として、実施例の構成について図面を用いて説明する。
図１に示すように、本実施の形態にかかる傘１０は、石突１８から放射状に延びた複数の骨部材１１と、上記骨部材１１上に張設された、略球冠状の張り布部材１２と、上記石突１８から下方に向かって取り付けられた柄部１３と、上記柄部１３の下端部に延設され、略Ｊ字形状に形成された手元１９とから構成されている。
また、上記張り布部材１２の所定位置には、図柄が浮き出る隠し絵表示部分１４が設けられている。
また、図３に示すように、上記張り布部材１２は、合成繊維布等で形成された生地材１５と、上記生地材１５の表面１５ａに施された、透明、若しくは上記生地材１５と同色の撥水コーティング層１６と、上記生地材１５の裏面１５ｂに施された防水コーティング層１７とから形成されている。
また、上記張り布部材１２の表面において、上記隠し絵表示部１４の図柄描画部１４ａは、上記撥水コーティング層１６を有していない。
また、図３に示すように、上記の通り撥水コーティング層１６は透明、又は上記生地材１５と同色に形成されていることから、上記生地材１５が乾燥した状態においては、図２
に示すように、隠し絵表示部１４とそれ以外の部分が同色となるため、上記隠し絵表示部１４は視認されない。
【０００８】
上記実施例の作用について以下説明する。
図１に示すように、雨天時に傘１０を開いた場合は、張り布部材１２表面に雨水２０が降り注ぐ。
上記撥水コーティング層１６を有する部分については、上記撥水コーティング層１６によって雨水２０が弾かれるため、生地材１５が湿潤することが無い。 
しかしながら、上記隠し絵表示部１４の図柄描画部１４ａについては、上記撥水コーティング層１６を有していないため、生地材１５に直接雨水２０が当たり、上記図柄描画部１４ａの生地材１５は、内部に雨水が浸透して湿潤する。
これにより、上記図柄描画部１４ａに対応する部分のみ、上記生地材１５が変色し、上記張り布部材１２の表面に、上記図柄描画部１４ａによる特定の図柄が浮き出る。
また、上記傘１０の使用後は、上記生地材１５を乾燥させることで、上記生地材１５の変色は回復し、図柄が消失する。
従って、使用時にのみ図柄が現れることで、視覚的インパクトが大きく、従来の傘と比較して外観品質が良好な傘を提供することができる。
【産業上の利用可能性】
【０００９】
この考案によれば、本考案は、雨天時に使用する傘において広く適用が可能である。
【図面の簡単な説明】
【００１０】
【図１】本考案に係る傘の一実施の形態を示し、実施例の構成において、雨天時に傘を開いた場合の全体側面図である。
【図２】本考案に係る傘の一実施の形態を示し、実施例の構成において、雨天時以外に傘を開いた場合の全体側面図である。
【図３】本考案に係る傘の一実施の形態を示し、実施例１の構成における隠し絵表示部の拡大断面図である。
【図４】本考案に係る傘の一実施の形態を示し、実施例２の構成における隠し絵表示部の拡大断面図である。
【符号の説明】
【００１１】
１０ 傘
１１ 骨部材
１２ 張り布部材
１３ 柄部
１４ 隠し絵表示部
１４ａ 図柄描画部
１５ 生地材
１５ａ 生地材の表面側
１５ｂ 生地材の裏面側
１６ 撥水コーティング層
１７ 防水コーティング層
１８ 石突
１９ 手元
２０ 雨水
２１ 吸水部材
【図１】
0003159555.tif 000003
【図２】
0003159555.tif 000004
【図３】
0003159555.tif 000005
【図４】
0003159555.tif 000006
(57)【要約】【課題】  失禁に悩む人にとって憂鬱な毎日を、安心して、しかも快適に過ごすことができるようにするための失禁用オーバーパンツを提供する。【解決手段】  編地・織地に防水性と透湿性を兼ね備えた薄く、伸縮性のあるフィルム状のウレタン系形状記憶ポリマー、例えぱポリウレタン、無孔質メンブレンをラミネート加工又はコーティングした生地を使用して失禁用オーバーパンツを構成する。【選択図】図２
0003159559.tif 000002
【実用新案登録請求の範囲】
【請求項１】
編地又は織地にウレタン系形状記憶ポリマーをラミネート加工又はコーティングした生地を使用したことを特徴とする失禁用オーバーパンツ。
【請求項２】
ウレタン系形状記憶ポリマーがポリウレタンである請求項１記載の失禁用オーバーパンツ。
【請求項３】
ウレタン系形状記憶ポリマーが無孔質メンブレンである請求項１記載の失禁用オーバーパンツ。
【考案の詳細な説明】
【技術分野】
【０００１】  本考案は、失禁の悩みを抱えている人が安心して、しかも快適に過ごすことが出来るようにするために開発された失禁用オーバーパンツに関するものである。
ここで言うオーバーパンツとは、失禁用パンツの上に着用するパンツのことである。
【背景技術】
【０００２】  近年、吸汗速乾、透湿防水、発熱保温、抗菌消臭、温度調節など、非常に高機能な生地が多種多様開発されている。
【考案の概要】
【考案が解決しようとする課題】
【０００３】  しかしながら、失禁による不安を抱えている人のための失禁用に開発された生地はない。そのために何の不安も無く、安心して、しかも普段と同じように快適な日常生活を送れるような、万一の漏れをガードする失禁防止のための失禁用オーバーパンツはいまだに開発されてはいない。失禁用パット、失禁用パンツを着用していても、尿の漏れを防ぐことは出来ていないし、完全に防御しようとすれば、不快な蒸れを覚悟して、漏れを防止するために、個人個人が個別に特別な工夫をしなければならないのが現状である。
【課題を解決するための手段】
【０００４】  そこで、本考案は、以上の課題を解決すべく、高機能素材の中から、特に防水性能、透湿性能、低結露性に優れた生地を厳選し、その生地本来の用途としては全く想定されていなかった分野である失禁に悩む人に向けた安心・快適失禁用オーバーパンツの研究開発を試みるにいたった。【０００５】  そして研究の末、本考案の目的を達成させるために、生地の組成、編地、織地などに改良を加えることにより開発された生地を使用し、肌に優しく、しかも完全な防水機能を持ち、かつ、環境適応機能を有し、温度変化を感知して失禁用オーバーパンツ内を常に快適にする機能を持つ生地を開発することが出来た。この生地は、防水性、透湿性、低結露性を兼ね備えた薄く伸縮性のあるフィルム状の膜をラミネート加工又はコーティングしたものであり、その素材は無孔質のフィルム状の膜で素材自体には孔が存在しない。そのために高い防水性能を発揮し、さらに高い透湿性があり、温度変化に応じて透湿性をコントロールすることが出来る。この素材をラミネート加工又はコーティングした特殊なこの生地は、温度変化に対応して、失禁用オーバーパンツ内が暑くなると透湿度を高めて、汗や水蒸気や熱を放出し、寒くなると透湿度を下げて、汗や水蒸気や熱の放出を抑えて保温する機能に優れている。【０００６】  而して、本考案の要旨とするところは、編地・織地にウレタン系形状記憶ポリマーをラミネート加工又はコーティングした生地を使用したことを特徴とする失禁用オーバーパンツにある。【０００７】  上記構成において、ウレタン系形状記憶ポリマーをポリウレタンとしてもよい。【０００８】  上記構成において、ウレタン系形状記憶ポリマーを無孔質メンブレンとしてもよい。
【考案の効果】
【０００９】  本考案は、以上の結果この生地を使用した失禁用オーバーパンツを失禁用パンツの上に着用することにより、この生地そのものの持つ完全防水機能により、万が一の尿の漏れを完全に吸収し、なおかつ失禁用オーバーパンツ内部の湿度を自動的にコントロールして、蒸れ感をなくし、常に失禁用オーバーパンツ内を快適に保つことが出来るために、失禁に悩む人が安心で快適、そして精神的にも安定した日常生活を送ることが出来るようになる。
【図面の簡単な説明】
【００１０】
【図１】本考案に係る失禁用オーバーパンツの着用例を後ろから見た概略図である。
【図２】本考案に係る失禁用オーバーパンツの一例を示す概略図である。
【図３】本考案に係る失禁用オーバーパンツの生地の構造概略図を示すもので、上は編地又は織地に一層ウレタン系形状記憶ポリマーをラミネート加工又はコーティング加工したものであり、下はこれを表裏両面から二層ラミネート加工又はコーティングしたものである。
【考案を実施するための形態】
【００１１】  以下、本考案を実施するための形態に付いて、図面を参照して説明する。
【００１２】  図中、１は失禁用パッドである。２は失禁用パッド１を収容した失禁用パンツである。３は本考案に係る失禁用オーバーパンツである。
【００１３】  本考案に係る失禁用オーバーパンツ３は、編地又は織地６にウレタン系形状記憶ポリマー５をラミネート加工又はコーティングしたものであり、上はこれを一層設けたものであり、下はこれを二層設けたものである。尚、図中４はアウターパンツである。
【００１４】  本考案において使用するウレタン系形状記憶ポリマー５としては、本実施形態では、ポリウレタンを使用するが、これは無孔質メンブレンとしてもよい。
【００１５】  これらの素材を使用することにより、この素材そのものの持つ完全防水機能により、万が一の尿の漏れを完全に防御し、なおかつ失禁用オーバーパンツ内部の湿度を自動的にコントロールして、蒸れ感をなくし、常に失禁用オーバーパンツ内を快適に保つことが出来るために、失禁に悩む人が安心で快適、そして精神的にも安定した日常生活を送ることが出来るようになる。
【符号の説明】
【００１６】  １    失禁用パット
２    失禁用パンツ
３    本考案失禁用オーバーパンツ
４    アウターパンツ
５    ウレタン系形状記憶ポリマー
６    編地又は織地
【図１】
0003159559.tif 000003
【図２】
0003159559.tif 000004
【図３】
0003159559.tif 000005
(57)【要約】      （修正有） 【課題】完全密閉ができ、且つバターナイフをケース内部に収納できるバターケースを提供する。【解決手段】バターケースの本体６と蓋５はパッキン付きの密閉式とし、冷蔵保存中に外気がバターケース内に入らないようにする。バターナイフは、全体が蓋の内側に収まるサイズとする。バターケースの蓋の内側天井中央にバターナイフ全体を格納するため、バターナイフを固定する簡易着脱式部品１，２を作りつけ、バターナイフを容易に着脱できるようにする。蓋の深さは、蓋を閉めた時に蓋の内側に固定したバターナイフが、本体に入ったバターの表面と接触しない深さとする。バターケース本体の内側底面に凸ラインを適宜入れる事で、バターを滑りにくくする。バターケースおよびバターナイフとも、洗浄が容易で食品に安全な無臭素材で作る。【選択図】図２
0003159542.tif 000002
【実用新案登録請求の範囲】
【請求項１】
本体と蓋からなるパッキン付き密閉式バターケースとし、バターナイフは、全体が蓋の内側に収まるサイズとする。バターケースの蓋の内側天井中央に、バターナイフの先を差し込むことのできるパーツ、およびバターナイフの柄を両側から挟んで固定する簡易着脱式部品を作りつけ、バターナイフを容易に着脱できるようにする。蓋の深さは、蓋を閉めた時に蓋の内側に固定したバターナイフが、本体に入ったバターの表面と接触しない深さとする。
【請求項２】
バターケース本体の内側底面に凸ラインを適宜入れる事で、バターを滑りにくくする。
【考案の詳細な説明】
【技術分野】
【０００１】
本考案は、蓋の内側にバターナイフを収納できる密閉式バターケースに関するものである。
【背景技術】
【０００２】
バターケースにバターナイフを添えたまま収納する容器やケースは、ケースの一部に切り込みを入れ、そこからバターナイフの柄を外に出す形態のものがほとんどである。この場合、隙間からバターケースの中に外気が侵入することを防ぐことができず、冷蔵保存中に酸素に接した面のバターが酸化したり、匂いが移ったりして、バター本来の繊細な風味や味が損なわれる。
【考案の概要】
【考案が解決しようとする課題】
【０００３】
冷蔵保存中にバターが酸化したり、匂いが移ったりして風味や味が損なわれることを防ぐことのできる、完全密閉式で、且つバターナイフをケース内部に収納できるバターケースを考案する。
【課題を解決するための手段】
【０００４】
バターケースの蓋の内側にバターナイフ全体を格納するための簡易着脱用部品を作りつけ、蓋と本体を完全密閉式にして外気の侵入を防ぐ。
【考案の効果】
【０００５】
使う度に別途にしまってあるバターナイフを探す面倒がなくなる。
バターケースを密封状態にできるので、冷蔵保存中にバターケース内に外気が侵入してバターの不飽和脂肪酸が酸化することを防ぎ、匂いの吸着も防ぐので、バター本来の風味や味を保てる。
バターナイフの柄がケースから突き出ないので、冷蔵庫内で収納時に他の品物にぶつからない。
バターナイフはケース内部に格納されるので、ナイフへの冷蔵庫臭の匂い移りがなく、清潔さも保たれる。
バターナイフの代わりにスプーンにすることで、ジャム類用の容器としても応用できる。
【図面の簡単な説明】
【０００６】
【図１】蓋の内側天井を表したイメージ図である。
【図２】蓋を閉めた時の密閉式バターケース全体の外観図である。
【考案を実施するための形態】
【０００７】
日本で市販されている標準的な２００グラムのバターを収納できる大きさの、本体と蓋からなるパッキン付き密閉式バターケースとし、冷蔵保存中に外気がバターケース内に入らないようにする。バターナイフは、全体が蓋の内側に収まるサイズとする。
バターケースの蓋の内側天井中央に、バターナイフの先を差し込むことのできるパーツ、およびバターナイフの柄を両側から挟んで固定する簡易着脱式部品を作りつけ、バターナイフを容易に着脱できるようにする。
蓋の深さは、蓋を閉めた時に蓋の内側に固定したバターナイフが、本体に入ったバターの表面と接触しない深さとする。
バターケース本体の内側底面に凸ラインを適宜入れる事で、バターを滑りにくくする。
バターケースおよびバターナイフとも、洗浄が容易で食品に安全な無臭素材で作る。
【符号の説明】
【０００８】
１  バターナイフの先を支えるパーツ
２  バターナイフの柄を両側から固定するパーツ
３  バターナイフ
４  密閉用レバー
５  ケース蓋
６  ケース本体
７  バターナイフの先
８  バターナイフの柄
９  バター
【図１】
0003159542.tif 000003
【図２】
0003159542.tif 000004
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
本体と蓋からなるパッキン付き密閉式バターケースにおいて、バターケースの蓋の内側天井中央に、蓋の内側に収まるサイズのバターナイフの先を差し込むことのできる部品、およびバターナイフの柄を両側から挟んで固定する簡易着脱式部品とを取り付け、バターナイフを容易に着脱できるようにし、蓋の深さは、蓋を閉めた時に蓋の内側に固定したバターナイフが、本体に入ったバターの表面と接触しない深さとした、バターナイフ収納蓋付きバターケース。
【請求項２】
バターケース本体の内側底面に凸ラインを入れた事を特徴とする、請求項１記載のバターナイフ収納蓋付きバターケース。
(57)【要約】      （修正有）【課題】多機能で、衛生的な簡易水切り紙便利ざるを提供する。【解決手段】無漂白パルプを利用し、底部、側面部に任意間隔で複数の水きり孔を設けた。【選択図】図３
0003159978.tif 000002
【実用新案登録請求の範囲】
【請求項１】
無漂白パルプからなる成形された紙ざるで底部、側面部に水きり孔を設け円形状となっており、そのところを特徴とした簡易紙便利ざる。
【考案の詳細な説明】
【技術分野】
【０００１】本考案は、無漂白パルプからなる簡易水切り紙便利ざるに関する。
【背景技術】
【０００２】従来、ざるは金属・プラスチック等の硬質素材であった。そのため形状が大きく収納空間をとり、また衛生上問題もあった。
また、締りこむものは、様々な操作が必要となり取扱いが難かしかった。
【考案の概要】
【考案が解決しようとする課題】
【０００３】硬質素材のため水きり機能も十分でなく、締りこむため操作が必要となるなど欠点があった。また収納空間、衛生上などの問題点があった。
【課題を解決するための手段】
【０００４】本考案は無漂白パルプからなる、一体成型された使い捨て紙ざるである。底部は円形状となっており、底部の周縁部より側面部まで一体化し、全体としてザル状となる。
また底部、側面部には任意間隔で複数の水きり孔を設け、使用状態において排出に支障のない範囲で水きり孔１ｍｍ〜３ｍｍ設ける。
紙のため収納空間も必要なく、使い捨てのため衛生上の問題もなく、多用途に応用できる。
これによって上記課題を解決するものである。
【考案の効果】
【０００５】本考案に系る簡易水切り紙便利ざるを、使用することで、水切りはもちろん、使い捨てのため衛生的である。
パルプ材の持つ柔軟性により、食材品の塩もみなどの直触調理を可能とすることができ実用性に優れたものである。
【図面の簡単な説明】
【０００６】
【図１】本考案に系る簡易水切り便利ざるの一部を構成する正図面である。
【図２】本考案に系る簡易水切り便利ざるの一部を構成する底部平面図である。
【図３】本考案に系る簡易水切り便利ざるの一部を構成する底部へ１ｍｍ〜３ｍｍの孔を設けた底部平面図である。
【考案を実施するための形態】
【０００７】図１に示すように側面にも任意間隔で複数の孔を設ける。
図２に示すように底部にも任意間隔で複数の孔を設ける。
【０００８】図３に示すように水きり効果をあげるため底部に１ｍｍ〜３ｍｍの孔を複数設ける。
【０００９】完成した簡易水切り便利ざるは孔の数によって茹で上りたての熱い食材でも瞬時に締りきり、直接食材に触れることなく調理ができ衛生的である。
【図１】
0003159978.tif 000003
【図２】
0003159978.tif 000004
【図３】
0003159978.tif 000005